(57)【要約】      （修正有）【課題】主軸の切削工具を外し、ファンを取り付けるようにしないで主軸と共にファンが回転し、加工した木材の切削屑を吹き飛ばし切削層を除去する木材加工装置を提供する。【解決手段】主軸ヘッド１１に装着された主軸（スピンドル）１１ａが下方に突出され、この主軸１１ａの下部にコレットナット１２によって工具（カッター）１３が取り付けられ、さらに、この工具１３の上部の主軸１１ａにファン１４が取り付けられ、ファン１４の上部の主軸ヘッド１１にファンカバー１５が取り付けられている。【選択図】        図１
2004314518.tif 000002
【特許請求の範囲】
【請求項１】
主軸に工具を装着し、該工具を前記主軸により回転して木材を加工する木材加工装置において、前記主軸にファンを取り付け、前記工具とともに前記ファンを回転し、前記ファンによって生じる空気の流れで前記工具による木材加工の加工によって散らばった切削屑を前記工具の先端方向に吹き飛ばすか、前記主軸方向に飛ばすことを特徴とする木材加工装置。
【請求項２】
前記ファンの上部にファンカバーを装着することを特徴とする請求項１記載の木材加工装置。
【請求項３】
前記ファンは前記工具を前記主軸に装着するコレットナットに取り付けることを特徴とする請求項１又は２のいずれか１項記載の木材加工装置。
【発明の詳細な説明】
【０００１】
【発明の属する技術分野】
本発明は、工具の回転とともにファンを回転して、木材の切削屑を吹き飛ばすようにした木材加工装置に関するものである。
【０００２】
【従来の技術】
従来、金属切削加工装置において、テーブル上に散らばった切削屑を除去するために、切削工具を外して切削工具の代わりにファンを装着し、ファンの回転数を切削工具の回転数より高くして、切削屑を吹き飛ばすようにした装置が提案されている。
【０００３】
【発明が解決しようとする課題】
しかしながら、このような金属切削加工装置では、切削加工の終了後に、切削工具を外し、ファンを取り付けるようにしているので、作業が繁雑であるとともに、ファンの回転を工具の回転と異ならせなければならないので、さらに作業が複雑になるという問題があった。
【０００４】
【課題を解決するための手段】
本発明は、主軸に工具を装着し、該工具を前記主軸により回転して木材を加工する木材加工装置において、前記主軸にファンを取り付け、前記工具とともに前記ファンを回転し、前記ファンによって生じる空気の流れで前記工具による木材加工の加工によって散らばった切削屑を前記工具の先端方向に吹き飛ばすか、前記主軸方向に飛ばすものであり、又、前記ファンの上部にファンカバーを装着するものであり、さらに、前記ファンは前記工具を前記主軸に装着するコレットナットに取り付けるものである。
【０００５】
【発明の実施の形態】
本発明では、工具を装着する主軸にファンを取り付けるか、主軸を工具に取り付けるコレットナットにファンを取り付けることにより、工具を主軸で回転して木材を加工するときに、主軸とともにファンが回転し、ファンの傾斜によって、工具により加工した木材の切削屑を工具の先端方向に吹き飛ばすか、ファンを逆の傾斜にすることによって主軸の方向に吹き飛ばすことにより、木材の加工面に散らばった切削屑によって装置の動作の妨げにならないように、速やかに切削屑を除去するものである。
【０００６】
【実施例】
図１は本発明の実施例の木材加工装置の側面図、図２は図１の木材加工装置の正面図、図３は図１の木材加工装置の平面図、図４は図１の木材加工装置の主軸の工具取り付け部の拡大図で、ベース１に垂直に装着された支柱２の上部に横方向に横支持部材３が装着され、この横支持部材３の前面にもうけられたレール４に横移動部材５のベアリング（図示せず）が係合され、横支持部材３の端部に装着されたサーボモータ６に連結されたネジ軸７が横移動部材５に装着されたボス（図示せず）と嵌合されてサーボモータ６の駆動により横移動部材３が横方向に位置決め移動され、又、横移動部材３に縦に装着されたレール８に縦移動部材９のベアリング（図示せず）が係合され、横移動部材３の上部に装着されたサーボモータ１０に連結されたネジ軸（図示せず）に縦移動部材９に装着されたボス（図示せず）が係合され、サーボモータ１０の駆動により縦移動部材９が上下に移動され、この縦移動部材９に主軸ヘッド１１が装着され、主軸ヘッド１１に装着された主軸（スピンドル）１１ａが下方に突出され、この主軸１１ａの下部にコレットナット１２によって工具（カッター）１３が取り付けられ、さらに、この工具１３の上部の主軸１１ａにファン１４が取り付けられ、ファン１４の上部の主軸ヘッド１１にファンカバー１５が取り付けられている。
【０００７】
又、ベース１に直交したベース台１６の上部にレール１７が装着され、このレール１７にベアリング１８が係合され、このベアリング１８はテーブル１９の下部に取り付けられ、ベース台１６の端部に装着されたサーボモータ２０連結されたネジ軸（図示せず）にテーブル１９の下部に取り付けられたボス（図示せず）が係合され、サーボモータ２０を駆動することによってテーブル１９を主軸ヘッド１１に対して前後に位置決め移動される。
【０００８】
このように構成された本実施例の木材加工装置では、テーブル１９の上に被加工木材を載置して、サーボモータ２０を駆動することにより、被加工木材の加工位置を位置決めし、サーボモータ６を駆動して、主軸ヘッド１１を横方向に移動して位置決めし、さらに、主軸ヘッド１１を駆動して工具１３を回転し、サーボモータ１０を駆動して縦移動部材９を上下に移動することにより、工具１３で木材を加工すると、木材を加工するときに発生する切削屑が工具１３の回転とともに回転するファン１４によって吹き飛ばされるので、被加工木材の加工が終了した時に、テーブル１９上に切削屑が残っていないので、テーブル１９上に被加工木材を固定する場合に、固定装置の動作を妨げることが無くなる。
【０００９】
図５は本発明の他の実施例のコレットナットの平面図、図６は図５のコレットナットの側面断面図で、コレットナット２１の側面に４つのファン２２が一体に取り付けられている。
【００１０】
このように構成された本実施例のコレットナット２１で上記木材加工装置の主軸ヘッド１１の主軸１１ａに工具１３を取り付ける場合は、主軸ヘッド１１の主軸１１ａからファン１４を取り除き、工具１３をファン２２が取り付けられたコレットナット２１で主軸１１ａに装着する。
【００１１】
このように構成した本実施例においても、前記実施例と同様に被加工木材を加工する時に、工具１３の回転とともにコレットナット２１に装着されたファン２２も回転するので、このファン２２によって切削屑が吹き飛ばされる。
【００１２】
なお、このファン１４及び２２は上記の木材加工装置ばかりでなく、他の木材加工装置においても使用することができ、このファン１４、２２を主軸１１ａに取り付けることによって、木材を加工するときに、切削屑を吹き飛ばして、テーブル１９や他の部分に切削屑が残らないようにすることができ、又、ファン１４は主軸１１ａに固着してもよいし、他の部品を使用して取り付けることができ、又、コレットナット２１にファン２２を取り付ける場合にも、コレットナット２１とファン２２を一体に構成してもよいし、他の部品によってコレットナット２１にファン２２を取り付けるようにしてもよい。
【００１３】
【発明の効果】
以上説明したように、本発明の木材加工装置では、主軸にファンを取り付けることにより、被加工木材を加工する時に、工具の切削加工によって発生した切削屑を工具が回転すると同時に回転ファンによって吹き飛ばすことができ、被加工木材を設置する部分の清掃をしなくても、切削屑が残らないので、テーブル上に被加工木材を固定する場合に、固定装置の動作を妨げることが無くなるという利点がある。
【図面の簡単な説明】
【図１】図１は本発明の実施例の木材加工装置の側面図である。
【図２】図２は図１の木材加工装置の正面図である。
【図３】図３は図１の木材加工装置の平面図である。
【図４】図１の木材加工装置の工具取り付け部分の拡大図である。
【図５】図５は本発明の他の実施例のコレットナットの平面図である。
【図６】図６は図５のコレットナットの側面断面図である。
【符号の説明】
１              ベース
２              支柱
３              横支持部材
４、８          レール
５              横移動部材
６、１０        サーボモータ
７              ネジ軸
９              縦移動部材
１１            主軸ヘッド
１２            コレットナット
１３            工具
１４            ファン
１５            ファンカバー
１６            ベース台
１７            レール
１８            ベアリング
１９            テーブル
２０            サーボモータ
２１            コレットナット
２２            ファン
【図１】
2004314518.tif 000003
【図２】
2004314518.tif 000004
【図３】
2004314518.tif 000005
【図４】
2004314518.tif 000006
【図５】
2004314518.tif 000007
【図６】
2004314518.tif 000008